(57)【要約】【課題】配線ダクトに取り付けられた照明装置の制御を容易に行うことができる照明システム、配線ダクト及び給電ユニットを提供する。【解決手段】配線ダクト１は、断面形状が矩形状であり、一面が開口し三面が側板１１、１２、１３で囲まれたＵ字状をなす。対向する側板１２、１３の内側には、１組の給電バス１５を配設してある。配線ダクト１は、給電バス１５と並置された合成樹脂製の光伝送部材２を備える。光伝送部材２は、例えば、アクリル、ポリカーボネートなどの合成樹脂を用いることができる。【選択図】図２
2014041726.tif 000002
【特許請求の範囲】
【請求項１】
給電バスを配設した配線ダクトと、該配線ダクトに取り付けられ、前記給電バスを介して給電される照明装置とを備える照明システムにおいて、
前記配線ダクトは、
前記給電バスと並置された合成樹脂製の光伝送部材を備え、
該光伝送部材を介して光信号を伝送することを特徴とする照明システム。
【請求項２】
前記光伝送部材は、
前記給電バスの長さ方向に沿って光の放出面を形成してあり、
前記照明装置は、
前記放出面に対向する位置に受光部を備えることを特徴とする請求項１に記載の照明システム。
【請求項３】
前記放出面の一部又は全部に、前記給電バスの長さ方向に交差する向きに形成された凹凸部を前記長さ方向に沿って列設してあることを特徴とする請求項２に記載の照明システム。
【請求項４】
前記光伝送部材は、
一端に前記光信号が入射される入射面を有し、
前記光信号を発する発光素子の発光部を挿入するための挿入部を前記入射面に有することを特徴とする請求項１から請求項３までのいずれか１項に記載の照明システム。
【請求項５】
前記配線ダクトの一端に接続され、前記給電バスに給電する給電ユニットを備え、
該給電ユニットは、
前記光伝送部材の一端へ光信号を入射するための発光素子を備えることを特徴とする請求項１から請求項３までのいずれか１項に記載の照明システム。
【請求項６】
照明装置に給電する給電バスを配設した配線ダクトにおいて、
前記給電バスと並置された合成樹脂製の光伝送部材を備えることを特徴とする配線ダクト。
【請求項７】
照明装置に給電する配線ダクトの一端に接続される給電ユニットにおいて、
前記配線ダクトに配設された光伝送部材の一端へ、前記照明装置の制御信号を入射するための発光素子を備えることを特徴とする給電ユニット。
【発明の詳細な説明】
【技術分野】
【０００１】
本発明は、給電バスを配設した配線ダクトに取り付けられ、給電バスを介して給電される照明装置を備える照明システム、該照明システムを構成する配線ダクト及び給電ユニットに関する。
【背景技術】
【０００２】
近年、ＬＥＤ（発光ダイオード）を光源とする照明装置が様々な用途向けに開発されており、白熱電球や蛍光灯等の従来の光源を用いた照明装置に対する置換えが行われつつある。また、調光機能又は調色機能を備えたＬＥＤ照明装置も商品化されている。
【０００３】
一方で、天井面又は壁面などに配線ダクト（ライティングダクト、ライティングレールとも称する）を固定するとともに、配線ダクトに複数の照明装置を取り付けることにより、それぞれ照明装置の位置、光源の配光などを好み又は要望に応じて変えることも行われている。
【０００４】
例えば、配線ダクトに電気的に接続されたＬＥＤチップからなる発光素子を具備する発光装置を点灯させる点灯装置と、点灯装置を収納可能な矩形箱状のケースとを備えたＬＥＤ照明器具が開示されている（特許文献１参照）。
【先行技術文献】
【特許文献】
【０００５】
【特許文献１】特開２０１２−４８９７９号公報
【発明の概要】
【発明が解決しようとする課題】
【０００６】
配線ダクトは、一般的に交流電圧を給電するようになっているので、例えば、配線ダクトに取り付けられた照明装置が白熱電球であれば、交流電圧を可変することにより、比較的容易に調光を行うことができる。しかし、ＬＥＤ照明装置の場合には、交流電圧を可変することで調光機能を実現するのは困難である。ＬＥＤ照明装置を調光するには、調光信号のための信号線を別途配線する必要がある。また、リモコンによる調光を行うことはできるが、配線ダクトに複数のＬＥＤ照明装置を取り付けた場合には、それぞれのＬＥＤ照明装置に対してリモコンによる操作を行う必要がありユーザにとって煩雑である。
【０００７】
本発明は斯かる事情に鑑みてなされたものであり、配線ダクトに取り付けられた照明装置の制御を容易に行うことができる照明システム、該照明システムを構成する配線ダクト及び給電ユニットを提供することを目的とする。
【課題を解決するための手段】
【０００８】
本発明に係る照明システムは、給電バスを配設した配線ダクトと、該配線ダクトに取り付けられ、前記給電バスを介して給電される照明装置とを備える照明システムにおいて、前記配線ダクトは、前記給電バスと並置された合成樹脂製の光伝送部材を備え、該光伝送部材を介して光信号を伝送することを特徴とする。
【０００９】
本発明にあっては、配線ダクトは、給電バスと並置された合成樹脂製の光伝送部材を備える。配線ダクトは、例えば、断面形状が矩形状であり、一面が開口し三面が側板で囲まれたＵ字状をなす。光伝送部材は、配線ダクトの側板の外側又は内側などに給電バスを並行させて設けることができる。また、光伝送部材は、例えば、アクリル、ポリカーボネートなどの合成樹脂を用いることができる。光伝送部材を介して光信号を給電バスと同じ方向に沿って伝送することができるので、配線ダクトに取り付けられた照明装置を制御するための制御信号（例えば、調光信号、調色信号など）用の信号線を配線する必要がない。また、配線ダクトに複数の照明装置が取り付けられている場合でも、光伝送部材を介して制御信号をすべての照明装置に対してまとめて送信することができるので、それぞれの照明装置に対してリモコンによる操作を個別に行う必要がない。このように、配線ダクトに取り付けられた照明装置の制御を容易に行うことができる。
【００１０】
本発明に係る照明システムは、前記光伝送部材は、前記給電バスの長さ方向に沿って光の放出面を形成してあり、前記照明装置は、前記放出面に対向する位置に受光部を備えることを特徴とする。
【００１１】
本発明にあっては、光伝送部材は、給電バスの長さ方向に沿って光の放出面を形成してあり、照明装置は、放出面に対向する位置に受光部を備える。給電バスの長さ方向に沿って光の放出面を形成してあるので、照明装置を配線ダクトの所望の位置に取り付けた場合でも、照明装置の受光部が放出面に対向して制御信号を受光することができる。
【００１２】
本発明に係る照明システムは、前記放出面の一部又は全部に、前記給電バスの長さ方向に交差する向きに形成された凹凸部を前記長さ方向に沿って列設してあることを特徴とする。
【００１３】
本発明にあっては、放出面の一部又は全部に、給電バスの長さ方向に交差する向きに形成された凹凸部を給電バスの長さ方向に沿って列設してある。凹凸部を設けることにより、放出面の内側で全反射せずに放出面から外部へ透過する光量（光信号）を増やし、照明装置の受光部で光信号を受光しやすくすることができる。また、放出面の全部に凹凸部を設けた場合には、照明装置を配線ダクトのどこに取り付けても受光部で光信号を受光しやすくすることができる。また、放出面の一部に凹凸部を設けた場合には、放出面から外部へ透過する光量が少なくなるので、光信号の減衰を抑制しつつ配線ダクトの末端まで光信号を伝送することができる。
【００１４】
本発明に係る照明システムは、前記光伝送部材は、一端に前記光信号が入射される入射面を有し、前記光信号を発する発光素子の発光部を挿入するための挿入部を前記入射面に有することを特徴とする。
【００１５】
本発明にあっては、光伝送部材は、一端に光信号が入射される入射面を有し、当該入射面に、光信号を発する発光素子の発光部を挿入するための挿入部を有する。これにより、発光部から発せられる光を漏れなく光伝送部材の内側へ入射させることができる。
【００１６】
本発明に係る照明システムは、前記配線ダクトの一端に接続され、前記給電バスに給電する給電ユニットを備え、該給電ユニットは、前記光伝送部材の一端へ光信号を入射するための発光素子を備えることを特徴とする。
【００１７】
本発明にあっては、配線ダクトの一端に接続され、給電バスに給電する給電ユニットを備える。給電ユニットは、光伝送部材の一端へ光信号を入射するための発光素子を備える。これにより、給電ユニットを配線ダクトの一端に装着するだけで、光信号を伝送させることができる。
【００１８】
本発明に係る配線ダクトは、照明装置に給電する給電バスを配設した配線ダクトにおいて、前記給電バスと並置された合成樹脂製の光伝送部材を備えることを特徴とする。
【００１９】
本発明にあっては、給電バスと並置された合成樹脂製の光伝送部材を備える。配線ダクトは、例えば、断面形状が矩形状であり、一面が開口し三面が側板で囲まれたＵ字状をなす。光伝送部材は、配線ダクトの側板の外側又は内側などに給電バスを並行させて設けることができる。また、光伝送部材は、例えば、アクリル、ポリカーボネートなどの合成樹脂を用いることができる。光伝送部材を介して光信号を給電バスと同じ方向に沿って伝送することができるので、配線ダクトに取り付けられた照明装置を制御するための制御信号（例えば、調光信号、調色信号など）用の信号線を配線する必要がない。また、配線ダクトに複数の照明装置が取り付けられている場合でも、光伝送部材を介して制御信号をすべての照明装置に対してまとめて送信することができるので、それぞれの照明装置に対してリモコンによる操作を個別に行う必要がない。このように、配線ダクトに取り付けられた照明装置の制御を容易に行うことができる。
【００２０】
本発明に係る給電ユニットは、照明装置に給電する配線ダクトの一端に接続される給電ユニットにおいて、前記配線ダクトに配設された光伝送部材の一端へ、前記照明装置の制御信号を入射するための発光素子を備えることを特徴とする。
【００２１】
本発明にあっては、配線ダクトに配設された光伝送部材の一端へ、照明装置の制御信号を入射するための発光素子を備える。これにより、給電ユニットを配線ダクトの一端に装着するだけで、光信号を伝送させることができる。
【発明の効果】
【００２２】
本発明によれば、配線ダクトに取り付けられた照明装置の制御を容易に行うことができる。
【図面の簡単な説明】
【００２３】
【図１】本実施の形態の照明システムの構成の一例を示す説明図である。
【図２】本実施の形態の配線ダクトの構成の一例を示す外観斜視図である。
【図３】照明装置を取り付ける前の配線ダクトの断面図である。
【図４】照明装置を取り付けた後の配線ダクトの断面図である。
【図５】光伝送部材の構造の一例を示す外観斜視図である。
【図６】調光信号の一例を示す説明図である。
【図７】光伝送部材の取付位置の他の第１例を示す説明図である。
【図８】光伝送部材の取付位置の他の第２例を示す説明図である。
【図９】光伝送部材の取付位置の他の第３例を示す説明図である。
【図１０】本実施の形態の給電ユニットの構成の一例を示す要部外観図である。
【図１１】給電ユニットを配線ダクトに接続する場合の一例を示す説明図である。
【発明を実施するための形態】
【００２４】
以下、本発明をその実施の形態を示す図面に基づいて説明する。図１は本実施の形態の照明システム１００の構成の一例を示す説明図であり、図２は本実施の形態の配線ダクト１の構成の一例を示す外観斜視図である。照明システム１００は、配線ダクト１、配線ダクト１に取り付けられる照明装置５などを備える。配線ダクト１は、例えば、断面形状が矩形状であり、一面が開口し三面が側板で囲まれたＵ字状をなし、天井面又は壁面などの取付部に固定される。配線ダクト１の一面の開口を通じて照明装置５が配線ダクト１に取り付けられるようになっている。なお、図１の例では、照明装置５が１つ取り付けられた状態を示すが、照明装置は複数取り付けることができる。また、配線ダクトは複数連結することができるようになっており、連結数を増減することにより所望の長さにすることができる。また、図１、図２で例示した配線ダクト１は、模式的に示したものであり、配線ダクト１の長さは図示したものより十分に長い。
【００２５】
図２に示すように、配線ダクト１は、例えば、断面形状が矩形状であり、一面が開口し三面が側板１１、１２、１３で囲まれたＵ字状をなす。対向する側板１２、１３の内側には、１組の給電バス１５を配設してある。給電バス１５には、後述の給電ユニットを介して商用電源からの交流電圧が給電される。なお、図２の例では、いわゆる２極の給電バスを備える構成であるが、接地用のバスを備えた３極であってもよい。なお、配線ダクト１の構造は、ＪＩＳＣ８３６６等で規定されている。
【００２６】
配線ダクト１は、給電バス１５と並置された合成樹脂製の光伝送部材２を備える。光伝送部材２は、配線ダクト１の側板１２、１３の外側又は内側などに給電バス１５を並行させて設けることができる。また、光伝送部材２は、例えば、アクリル、ポリカーボネートなどの光を導光する合成樹脂を用いることができる。また、光伝送部材２は、透明であってもよく、あるいは着色されていてもよい。
【００２７】
光伝送部材２を介して光信号を給電バス１５の長手方向に沿って伝送することができるので、配線ダクト１に取り付けられた照明装置５を制御するための制御信号（例えば、調光信号、調色信号など）用の信号線を配線する必要がない。また、配線ダクト１に複数の照明装置が取り付けられている場合でも、光伝送部材２を介して制御信号をすべての照明装置に対してまとめて送信することができるので、それぞれの照明装置に対してリモコンによる操作を個別に行う必要がない。このように、配線ダクト１に取り付けられた照明装置の制御を容易に行うことができる。
【００２８】
図３は照明装置５を取り付ける前の配線ダクト１の断面図であり、図４は照明装置５を取り付けた後の配線ダクト１の断面図である。図３に示すように、側板１２、１３それぞれの開口側（すなわち側板１１と反対側）には、内側に向かって延設された照明装置５を支持する支持部１４を設けてある。また、側板１２の幅は側板１３の幅より長くしてあり、側板１２の端部には給電バス１５の極性を表示するための極性表示部１６を設けてある。
【００２９】
図３に示すように、光伝送部材２は、側板１３の外側、つまり配線ダクト１の側面に設けてある。図３の例では、光伝送部材２の断面形状が矩形状であるが、断面形状は矩形状に限定されるものではない。光伝送部材２は、例えば、両面粘着テープ、接着剤などで配線ダクト１の側板１３に個着させてもよく、あるいは光伝送部材２の側板１３に当接する面に突起部を形成し、当該突起部が嵌合する嵌合孔を側板１３に設けておく構成とすることもできる。
【００３０】
光伝送部材２の一面、すなわち、配線ダクト１の開口側の面には、給電バス１５の長さ方向に沿って光の放出面２１を形成してある。放出面２１は、平坦面でもよく、後述のようにＶ字形溝を形成してもよい。
【００３１】
図４に示すように、照明装置５は、配線ダクト１に取り付けることができるようにプラグ構造を備える。プラグ構造は、例えば、照明装置５を支持部１４に載置させるための載置部５４、給電バス１５と電気的に接続される電極部５５などを備え、載置部５４及び電極部５５が所定の寸法となるように規定されている。
【００３２】
照明装置５は、配線ダクト１に取り付けられた状態で、放出面２１に対向する位置に受光部５２を備える。放出面２１と受光部５２との離隔寸法は、例えば、３〜５ｍｍ程度である。給電バス１５の長さ方向に沿って光の放出面２１を形成してあるので、照明装置５を配線ダクト１の所望の位置に取り付けた場合でも、照明装置５の受光部５２が放出面２１に対向するので、照明装置５は制御信号を受光することができる。
【００３３】
図５は光伝送部材２の構造の一例を示す外観斜視図である。図５に示すように、放出面２１の全部に、給電バス１５の長さ方向に交差する向きに形成された凹凸部としてのＶ字形溝２１１を給電バス１５の長さ方向に沿って列設してある。なお、凹凸部は、Ｖ字形溝に限定されるものではなく、放射面における光信号を取り出すための加工として印刷による反射パターン等を設けることもできる。
【００３４】
Ｖ字形溝２１１を設けることにより、放出面２１の内側で全反射せずに放出面２１から外部へ透過する光量（光信号）を増やし、照明装置５の受光部５２で光信号を受光しやすくすることができる。また、放出面２１の全部にＶ字形溝２１１を設けているので、照明装置５を配線ダクト１のどこに取り付けても受光部５２で光信号を受光しやすくすることができる。
【００３５】
また、図５の例に代えて、放出面２１の一部にＶ字形溝２１１を設けることもできる。例えば、配線ダクト１の長さ方向で照明装置を取り付ける位置又は範囲として想定される箇所または受光部５２に対応した放出面２１にＶ字形溝２１１を設ける。この場合には、Ｖ字形溝２１１が設けられた放出面２１から外部へ放射し、それ以外の箇所から放射する光量が少なくなるので、光信号の減衰を抑制しつつ配線ダクト１の末端まで光信号を伝送することができる。
【００３６】
図６は調光信号の一例を示す説明図である。光伝送部材２には、調光信号を赤外線（例えば、７５０〜１０００ｎｍの間の波長）で変調させた光信号を伝送させることができる。なお、光伝送部材２を伝送させる光信号は、照明装置を制御するための制御信号とすることができ、調光信号に限定されるものではなく、例えば、調色信号、点灯信号または消灯信号等であってもよい。また、本実施の形態における光信号は、赤外線に限らず、可視光等、他の波長の光信号であってもよい。
【００３７】
図６に示すように、調光信号は周波数が１ｋＨｚのＰＷＭ信号であり、例えば、常時ローレベル（Ｌ）である場合は、調光１００％（全灯）となる。したがって、調光信号がない場合は全灯となる。また、ハイレベル（Ｈ）とローレベル（Ｌ）の期間がそれぞれ０．５ｍｓである場合は、調光５０％となる。また、常時ハイレベル（Ｈ）である場合は、調光０％（消灯）となる。
【００３８】
なお、調光信号、調色信号などの制御信号は、図６の例に限定されるものではなく、例えば、光信号の発光素子の発光を３８ｋＨｚ程度の周波数で変調し、光信号がハイレベル（Ｈ）にある時間と、ローレベル（Ｌ）にある時間に応じて、１又は０のビットを割り当てることにより、情報を伝送することもできる。
【００３９】
光伝送部材２の配線ダクト１への取付位置は、図１〜図４の例に限定されるものではない。以下、光伝送部材２の他の取付位置について説明する。
【００４０】
図７は光伝送部材２の取付位置の他の第１例を示す説明図である。図７に示すように、光伝送部材２を側板１３の外側に代えて、側板１３と対向する側板１２の外側に取り付けることもできる。なお、この場合、照明装置５の受光部５２は、放出面２１に対向するように取り付け位置を図４の場合と変える必要がある。
【００４１】
図８は光伝送部材２の取付位置の他の第２例を示す説明図である。図８に示すように、光伝送部材２を側板１３の外側に代えて、側板１３から延設された支持部１４に隣接させて取り付けることもできる。なお、この場合も、照明装置５の受光部５２は、放出面２１に対向するように取り付け位置を変える必要がある。
【００４２】
図９は光伝送部材２の取付位置の他の第３例を示す説明図である。図９に示すように、光伝送部材２を側板１２から延設された支持部１４と極性表示部１６とで画定される断面形状がＬ字状の隙間に取り付けることもできる。なお、この場合も、照明装置５の受光部５２は、放出面２１に対向するように取り付け位置を変える必要がある。
【００４３】
図１０は本実施の形態の給電ユニット６の構成の一例を示す要部外観図であり、図１１は給電ユニット６を配線ダクト１に接続する場合の一例を示す説明図である。図１０に示すように、給電ユニット６は、本体部６０、発光素子６１、調光リモコン受光部６２、配線ダクト１に嵌合させるための固定部６３、給電用電極６４などを備える。
【００４４】
給電ユニット６は、不図示の電源プラグを備え、電源プラグをコンセントに接続することにより商用電源に接続され、給電用電極６４には交流電圧が印加される。また、給電ユニット６は、調光器機能を内蔵してあり、調光リモコン受光部６２でリモコンからの調光信号を受光すると、受光した調光信号に応じて、図６で例示した調光信号（光信号）を発光素子６１から発する。なお、給電ユニット６の商用電源への配線方法は上記方法に限らず、天井裏もしくは天井面において、給電線への直結することで配線してもよい。
【００４５】
上述のように、給電ユニット６は、光伝送部材２の一端へ光信号を入射するための発光素子６１を備えるので、給電ユニット６を配線ダクト１の一端１７に装着するだけで、光信号を伝送させることができる。
【００４６】
また、図１１に示すように、光伝送部材２は、一端に光信号が入射される入射面２２を有し、入射面２２に、光信号を発する発光素子６１の発光部を挿入するための挿入部（挿入穴）２２１を有する。これにより、発光素子６１から発せられる光を漏れなく光伝送部材２の内側へ入射させることができる。
【００４７】
上述の給電ユニット６は、リモコンから調光信号又は調色信号などを受光する構成であったが、これに限定されるものでなく、壁等に取り付けられた調光器からの信号線を給電ユニットに接続し、給電ユニットが調光器から取得した信号に基づいて、調光信号（光信号）を発光素子６１から発するようにしてもよい。また、給電ユニット６に操作部を設け、当該操作部を操作することで給電ユニットの発光素子６１から光信号を送信および調整するようにしてもよい。
【００４８】
上述の実施の形態では、照明装置の光源としてＬＥＤを用いる例を説明したが、光源はＬＥＤに限定されず、ＥＬ（Electro-Luminescence）等の他の光源に対しても適用することができる。
【符号の説明】
【００４９】
１  配線ダクト
１１、１２、１３  側板
１５  給電バス
２  光伝送部材
２１  放出面
２１１  Ｖ字形溝
２２  入射面
２２１  挿入部
５  照明装置
５２  受光部
６１  発光素子
【図１】
2014041726.tif 000003
【図２】
2014041726.tif 000004
【図３】
2014041726.tif 000005
【図４】
2014041726.tif 000006
【図５】
2014041726.tif 000007
【図６】
2014041726.tif 000008
【図７】
2014041726.tif 000009
【図８】
2014041726.tif 000010
【図９】
2014041726.tif 000011
【図１０】
2014041726.tif 000012
【図１１】
2014041726.tif 000013